(57)【特許請求の範囲】
【請求項１】
建築物の壁、梁等の区画部に貫通孔を形成するための筒体を、鉄筋等の構造駆体に固定保持するようにした筒体保持具であって、
全体として帯状をなし、中央部に筒体の外周面を保持する保持部を、両端部に構造駆体に掛止するための掛止部を設け、他端側の掛止部に、保持部において筒体を保持した状態で構造駆体に係合するための係合部を形成し、前記係合部を複数設け、係合部間に折り取るための折り取り部を形成し、
前記保持部にはその長さ方向に沿って長孔を形成し、前記保持部を筒体の外周面に沿って変形可能とすると共に保持した筒体の外周面まで打設コンクリートが侵入可能とする構成とした筒体保持具。
【請求項２】
建築物の壁、梁等の区画部に貫通孔を形成するための筒体を、鉄筋等の構造駆体に固定保持するようにした筒体保持具であって、
全体として帯状をなし、中央部に筒体の外周面を保持する保持部を、両端部に構造駆体に掛止するための掛止部を設け、一端側の掛止部には、互い違いの方向から構造駆体を把持するための円弧状に折り曲げ形成された一対の掛止片を形成し、他端側の掛止部に、保持部において筒体を保持した状態で構造駆体に係合するための係合部を形成し、前記係合部を複数設け、係合部間に折り取るための折り取り部を形成した筒体保持具。
【請求項３】
建築物の壁、梁等の区画部に貫通孔を形成するための筒体を、鉄筋等の構造駆体に固定保持するようにした筒体保持具であって、
全体として帯状をなし、中央部に筒体の外周面を保持する保持部を、両端部に構造駆体に掛止するための掛止部を設け、保持部の端部に折り曲げしやすくするための凹部を形成した筒体保持具。
【請求項４】
一端側の掛止部の側縁に補強リブを形成した請求項１〜３のいずれかに記載の筒体保持具。
【請求項５】
前記係合部は、その開口を閉鎖する抜け止め片を有し、前記抜け止め片の先端部に、係合部を係合方向へ案内するガイド部を形成した請求項１又は請求項２に記載の筒体保持具。
【発明の詳細な説明】
【０００１】
【発明の属する技術分野】
この発明は、建築物の壁、梁等の区画部に貫通孔を形成するための筒体を鉄筋等の構造駆体に固定保持するようにした筒体保持具に関するものである。
【０００２】
【従来の技術】
建築物の壁、梁等に電気配線等を貫通させるための貫通孔は、壁、梁等の構築時に筒体を使用して形成される。例えば、筒体の両端を支持するための開口を有する一対の板状の支持具を、相互に対向する位置に配置するとともに、その支持具をバインド線により鉄筋に固定する。そして、一対の支持具の開口に筒体の両端部をそれぞれ嵌合支持させて、筒体を壁、梁等の構築部に保持させていた。
【０００３】
【発明が解決しようとする課題】
ところが、壁、梁等の鉄筋の間隔が狭いため、縦横の鉄筋間に手を入れて、支持具と鉄筋とにバインド線を巻き付ける作業を行うのは困難であるという問題があった。特に、型枠の立設後に前記の作業を行うのは極めて困難である。また、筒体はその径が大小さまざまであり、その径の大小にあわせて複数種類の支持具を用意する必要があるという煩雑さもあった。
【０００４】
この発明は、このような従来技術に存在する問題に着目してなされたものである。その目的とするところは、建築物の壁、梁等を構築するための構造駆体が張り巡らされた狭い場所においても、筒体を構造駆体に容易にかつ安定した状態で保持させることができるとともに、筒体の径の大小に対処することができる筒体保持具を提供することにある。
【０００５】
【課題を解決するための手段及び発明の効果】
上記の目的を達成するために、請求項１に記載の筒体保持具は、建築物の壁、梁等の区画部に貫通孔を形成するための筒体を、鉄筋等の構造駆体に固定保持するようにした筒体保持具であって、全体として帯状をなし、中央部に筒体の外周面を保持する保持部を、両端部に構造駆体に掛止するための掛止部を設け、他端側の掛止部に、保持部において筒体を保持した状態で構造駆体に係合するための係合部を形成し、前記係合部を複数設け、係合部間に折り取るための折り取り部を形成し、前記保持部にはその長さ方向に沿って長孔を形成し、前記保持部を筒体の外周面に沿って変形可能とすると共に保持した筒体の外周面まで打設コンクリートが侵入可能とする構成としたものである。
【０００６】
従って、筒体保持具の一端を構造駆体に把持させた状態において、保持部により筒体を巻回支持し、他端を構造駆体に掛止すれば、筒体が構造駆体に保持される。このため、建築物の壁、梁等を構築するための構造駆体が張り巡らされた狭い場所であっても、あるいは型枠が立設された状態であっても筒体を構造駆体に容易にかつ安定した状態で保持させることができる。また、保持部の鉄筋方向への折り曲げを容易にすることができ、長孔から保持した筒体の外面まで打設コンクリートが侵入する。さらに、筒体保持具の他端側を構造駆体に容易に取り付けることができ、筒体保持具の余分な部分が突出するのを防止して、作業障害になるのを防止することができる。
【０００７】
請求項２に記載の筒体保持具は、建築物の壁、梁等の区画部に貫通孔を形成するための筒体を、鉄筋等の構造駆体に固定保持するようにした筒体保持具であって、全体として帯状をなし、中央部に筒体の外周面を保持する保持部を、両端部に構造駆体に掛止するための掛止部を設け、一端側の掛止部には、互い違いの方向から構造駆体を把持するための円弧状に折り曲げ形成された一対の掛止片を形成し、他端側の掛止部に、保持部において筒体を保持した状態で構造駆体に係合するための係合部を形成し、前記係合部を複数設け、係合部間に折り取るための折り取り部を形成したものである。
従って、筒体保持具の一端側を構造駆体に把持状態で取り付けることができ、その取付けを確実にかつ強固に行うことができる。また、筒体保持具の他端側を構造駆体に容易に取り付けることができ、筒体保持具の余分な部分が突出するのを防止して、作業障害になるのを防止することができる。
【０００８】
請求項３に記載の筒体保持具は、建築物の壁、梁等の区画部に貫通孔を形成するための筒体を、鉄筋等の構造駆体に固定保持するようにした筒体保持具であって、全体として帯状をなし、中央部に筒体の外周面を保持する保持部を、両端部に構造駆体に掛止するための掛止部を設け、保持部の端部に折り曲げしやすくするための凹部を形成したものである。
従って、凹部を起点として保持部の折り曲げを容易にすることができる。
【０００９】
請求項４に記載の筒体保持具は、請求項１〜３のいずれかに記載の発明において、一端側の掛止部の側縁に補強リブを形成したものである。
従って、補強リブの部分が屈曲するのを防止して、構造駆体に対する筒体保持具の取付け作業に支障をきたすことを未然に防止することができる。
【００１０】
請求項５に記載の筒体保持具は、請求項１又は請求項２に記載の発明において、前記係合部は、その開口を閉鎖する抜け止め片を有し、前記抜け止め片の先端部に、係合部を係合方向へ案内するガイド部を形成したものである。
【００１１】
従って、係合部が構造駆体から外れるのを防止することができる。
【００２２】
【発明の実施の形態】
以下、この発明の実施形態について図面に基づいて詳細に説明する。
図１及び図２に示すように、筒体保持具１１は金属により全体として帯状に形成されている。保持部１２は筒体保持具１１のほぼ中央部に設けられ、そこには長孔としてのコンクリート侵入孔１３が打ち抜き形成されている。凹部１４は保持部１２の一端部において３箇所にプレス成形されている。そして、凹部１４により保持部１２の折り曲げを容易にしている。
【００２３】
第１掛止部１５及び第２掛止部２０はそれぞれ筒体保持具１１の一端及び他端に設けられている。一対の掛止片１６は第１掛止部１５の長手方向の異なる位置に、第１掛止部１５の両側から互い違いに円弧状に形成されている。また、各掛止片１６は、その先端部と第１掛止部１５との間に隙間を有するように折り曲げられている。案内部１７は各掛止片１６の先端に形成されている。補強リブ１８は各掛止片１６、第２掛止部２０の側縁にプレス成形法等により形成されている。掛止溝１９は前記一対の掛止片１６間の中央において、第１掛止部１５の両側に切り欠き形成されている。
【００２４】
係合部２１は第２掛止部２０の一側縁から他側縁の方向へ所定深さを有するように切り抜き形成され、第２掛止部２０の長手方向に沿って３箇所に形成されている。抜け止め片２２は各係合部２１の開口部近傍に、切起こし形成されている。透孔２３は各抜け止め片２２の基端部に打ち抜き形成されている。
【００２５】
折り取り部２４は係合部２１間の中央部に、筒体保持具１１の軸線方向と直交するように所定長さに打ち抜き形成され、その近傍には折り取り部２４の機能を示す表示２９が付されている。
【００２６】
次に、筒体保持具１１の使用方法及びその作用を説明する。
図３に示すように、一対の筒体保持具１１を、保持部１２と第１掛止部１５との間において折り曲げる。そして、一対の掛止片１６を壁、梁等の区画部を構築するために組み立てられた構造駆体としての鉄筋２５に把持させることにより、筒体保持具１１の一端側を鉄筋２５に取り付けることができる。
【００２７】
このとき、案内部１７により鉄筋２５の掛止片１６への掛止を容易にしている。また、各掛止片１６は鉄筋２５を各掛止片１６により挟圧するため、筒体保持具１１の上下方向への移動を防止することができる。一対の掛止片１６は鉄筋２５を互い違いの方向から把持するため、筒体保持具１１には左右両方向への拘束力が作用する。なお、掛止溝１９の位置で鉄筋２５にバインド線２６により筒体保持具１１を固定すれば、筒体保持具１１をいっそう強固に固定することができる。さらに、筒体保持具１１に保持される筒体の径に対応させて凹部１４を選択し、その凹部１４から保持部１２を上方へ折り曲げる。
【００２８】
次に、図４に示すように、筒体２７の両端部を保持部１２上に支持させ、図５に示すように、第２掛止部２０を鉄筋２５方向へ折り曲げる。そして、筒体２７の外周面に保持部１２を巻き付けて、保持部１２に筒体２７を保持させるとともに、その巻き付け状態を保持した状態において、係合部２１を鉄筋２５に係合させる。
【００２９】
このとき、鉄筋２５に抜け止め片２２を係合させる。その結果、係合部２１の部分が鉄筋２５から外れるのを防止することができる。透孔２３により抜け止め片２２の折り曲げを容易に行うことができる。
【００３０】
また、このとき、鉄筋２５が係合された係合部２１より先端側は、その折り取り部２４より折り取られる。そのため、第２掛止部２０の余分な部分が突出するのを防止して、他の作業の障害になるのを防止することができる。
【００３１】
従って、筒体保持具１１の第１及び第２掛止部１５，２０が鉄筋２５に掛止されるとともに、保持部１２に筒体２７が保持されて、鉄筋２５に筒体２７を固定保持することができる。そして、筒体２７の両端部側に図示しない型枠を立設し、さらに、型枠間にコンクリートを打設する。このとき、筒体保持具１１のコンクリート侵入孔１３からコンクリートが侵入する。コンクリート硬化後、型枠及び筒体２７を除去することにより、区画部が形成されるとともに、区画部の所定位置に貫通孔を形成することができる。
【００３２】
以上のように、この実施形態によれば、次のような効果が発揮される。
・この実施形態によれば、第１掛止部１５を鉄筋２５に把持させた状態において、保持部１２により筒体２７を巻回支持し、第２掛止部２０を鉄筋２５に掛止することにより、筒体２７を鉄筋２５に保持することができる。このため、建築物の壁、梁等を構築するための鉄筋２５が張り巡らされた狭い場所であっても、あるいは型枠が立設された状態であっても筒体２７を鉄筋２５に容易にかつ安定した状態で保持させることができる。
【００３３】
・この実施形態によれば、保持部１２は筒体保持具１１の中央に形成され、しかもそこにはコンクリート侵入孔１３が形成されている。そのため、筒体２７の外周面に対する保持部１２の周回を容易に行うことができる。
【００３４】
・この実施形態によれば、保持部１２には凹部１４が３箇所に形成されている。そのため、凹部１４からの保持部１２の折り曲げを、凹部１４を起点として容易に行うことができる。また、折り曲げる位置を選択することができるため、保持部１２に保持される筒体２７の径に対応させることができる。
【００３５】
・この実施形態によれば、第１掛止部１５に形成された一対の掛止片１６はその先端が内方へ円弧状に形成されている。そのため、掛止片１６により鉄筋２５を狭圧把持でき、筒体保持具１１の取付けを強固に行うことができる。
【００３６】
・この実施形態によれば、一対の掛止片１６は鉄筋２５を互い違いの方向から把持する。そのため、鉄筋２５を左右両方向から把持して筒体保持具１１の取付けを強固に行うことができる。
【００３７】
・この実施形態によれば、係合部２１は３箇所に形成されている。そのため、所要の係合部２１を選択することにより、大小異なる大きさの筒体２７に対応することができる。
【００３８】
・この実施形態によれば、抜け止め片２２は各係合部２１の開口部近傍に切起こし形成されている。そのため、鉄筋２５に係合部２１を係合させた後、抜け止め片２２を折り曲げて鉄筋２５に係合させることにより、係合部２１が鉄筋２５から外れるのを防止することができる。
【００３９】
・この実施形態によれば、鉄筋２５が掛止された係合部２１より突出した部分は、折り取り部２４より折り取られる。そのため、第２掛止部２０の余分な部分が鉄筋２５より突出するのを防止して、その他の作業の障害になるのを防止することができる。
【００４０】
・この実施形態によれば、各抜け止め片２２の基端部には透孔２３が打ち抜き形成されている。そのため、抜け止め片２２の折り曲げ作業を容易に行うことができる。
【００４１】
・この実施形態によれば、各掛止片１６及び第２掛止部２０の側縁には補強リブ１８が形成されている。そのため、それらの部分が屈曲して、鉄筋２５に対する筒体保持具１１の取付け作業に支障をきたすことを未然に防止することができる。
【００４２】
・この実施形態によれば、折り取り部２４の近傍には折り取り部２４の機能を示す表示２９が付されている。そのため、折り取る位置の確認を容易に行うことができる。
【００４３】
尚、前記実施形態を次のように変更して具体化することも可能である。
・図６（ａ）、（ｂ）に示すように、抜け止め片２２を折り曲げ形成せず、予め係合部２１の開口を閉鎖するようにしておく。そして、抜け止め片２２の先端部の先端側コーナ部を斜状に折り曲げてガイド部２８を形成すること。
【００４４】
このように構成した場合、係合部２１に鉄筋２５を係合させるとき、鉄筋２５にガイド部２８を押圧させる。その結果、ガイド部２８の作用により抜け止め片２２が撓んで鉄筋２５の通過が許容され、その後、抜け止め片２２が鉄筋２５に係合した状態を維持する。従って、抜け止め片２２を折り曲げる作業を省略することができる。
【００４５】
・第１掛止部１５に掛止片１６を１箇所又は３箇所以上形成すること。
・３個以上の筒体保持具１１により筒体２７を保持すること。
このように構成した場合、筒体保持具１１に保持される筒体２７の長さの長短に対応することができる。
【００４６】
・第２掛止部２０に係合部２１を１箇所、２箇所又は４箇所以上形成すること。
・折り取り部２４をミシン目に変更すること。
【００４７】
・凹部１４を１箇所、２箇所又は４箇所以上、または保持部１２の両端あるいは全体に形成すること。
・抜け止め片２２を折り曲げ形成せず、予め係合部２１の開口を閉鎖するようにしておく。そして、鉄筋２５の上端から係合部２１を係合して第２掛止部２０を鉄筋２５に掛止すること。
【００４８】
さらに、前記実施形態より把握される技術的思想について以下に記載する。
・前記抜け止め片の基端部に透孔を形成した請求項５に記載の筒体保持具。
【００４９】
このように構成した場合、抜け止め片の折り曲げを容易に行うことができる。
【００５０】
・前記掛止片の先端部を、構造駆体を掛止凹部内へ案内する案内部を形成した請求項２に記載の筒体保持具。
【００５１】
このように構成した場合、案内部により構造駆体の掛止片への掛止を容易に行うことができる。
【００５３】
・前記折り取り部の近傍に、折り取り部の機能を示す表示を付した請求項１又は請求項２に記載の筒体保持具。
このように構成した場合、筒体保持具の端部における折り取る位置の確認を容易に行うことができる。
【図面の簡単な説明】
【図１】筒体保持具を鉄筋に取り付けた状態を示す部分斜視図。
【図２】実施形態の筒体保持具を示す斜視図。
【図３】筒体保持具の第１掛止部を鉄筋に取り付けた状態を示す斜視図。
【図４】一対の筒体保持具上に筒体を支持させた状態を示す斜視図。
【図５】筒体保持具の第２掛止部を鉄筋に取り付けた状態を示す斜視図。
【図６】（ａ）は抜け止め片の別例を示す平面図、（ｂ）は抜け止め片の別例を示す側面図。
【符号の説明】
１１…筒体保持具、１２…保持部、１３…長孔としてのコンクリート侵入孔、１４…凹部、１５…掛止部としての第１掛止部、１６…掛止片、２０…掛止部としての第２掛止部、２１…係合部、２２…抜け止め片、２４…折り取り部、２５…構造駆体としての鉄筋、２７…筒体、２８…ガイド部。
【図１】
0003750041.tif 000002
【図２】
0003750041.tif 000003
【図３】
0003750041.tif 000004
【図４】
0003750041.tif 000005
【図５】
0003750041.tif 000006
【図６】
0003750041.tif 000007